(57)【要約】【課題】フロントモニタ用の受光素子を光ピックアップ装置に取り付ける際の作業性を向上でき、且つ、取り付け作業中にフロントモニタ用の受光素子を傷つけることがない構造の光ピックアップ装置を提供することを目的とする。【解決手段】フロントモニタ用の受光素子を固定する固定部１３が形成される壁面１４には、壁面１４から突出する形で、固定部１３を挟んで断面略Ｌ字状の部材２０、２１が対称に形成されている。この断面略Ｌ字状の部材２０、２１は、フロントモニタ用の受光素子を受光面と反対側に位置する面側から支持するように構成される。【選択図】図２
2007184037.tif 000002
【特許請求の範囲】
【請求項１】
光源と、該光源から出射される光ビームを受光する受光面を有し、前記光ビームの光量を検出するフロントモニタ用の受光素子と、該受光素子の位置決めを可能とする位置決め溝を有し、前記受光素子を位置決めして固定する固定部と、を備える光ピックアップ装置において、
前記位置決め溝が形成される壁面には、前記固定部を挟んで対称に且つ先端部を内向きに設けられる偶数個の断面略Ｌ字状の部材から成り、前記壁面から突出して前記受光素子を前記受光面と反対側に位置する面側から一時的に支持する仮固定部が設けられ、
前記仮固定部は、前記受光素子の前記受光面と反対側に位置する面のうち、少なくとも中心部近傍又は、前記中心部に対して点対称となる１組以上の領域を覆わないように設けられることを特徴とする光ピックアップ装置。
【請求項２】
光源と、該光源から出射される光ビームを受光する受光面を有し、前記光ビームの光量を検出するフロントモニタ用の受光素子と、該受光素子の位置決めを可能とする位置決め溝を有し、前記受光素子を位置決めして固定する固定部と、を備える光ピックアップ装置において、
前記受光素子が前記固定部に接着固定されるまでの間、前記受光素子を一時的に支持する仮固定部を設けたことを特徴とする光ピックアップ装置。
【請求項３】
前記仮固定部は、前記位置決め溝が形成される壁面から突出し、前記受光素子を前記受光面と反対側に位置する面側から支持することを特徴とする請求項２に記載の光ピックアップ装置。
【請求項４】
前記仮固定部は、前記固定部を挟んで対称に且つ先端部を内向きに設けられる偶数個の断面略Ｌ字状の部材から成ることを特徴とする請求項３に記載の光ピックアップ装置。
【請求項５】
前記仮固定部は、前記受光素子の前記受光面と反対側に位置する面のうち、少なくとも中心部近傍又は、前記中心部に対して点対称となる１組以上の領域を覆わないように設けられることを特徴とする請求項２から請求項４のいずれか１項に記載の光ピックアップ装置。
【発明の詳細な説明】
【技術分野】
【０００１】
本発明は、光記録媒体に光ビームを照射して情報の記録や読み取りを可能とする光ピックアップ装置に関し、特に光ピックアップ装置に備えられるフロントモニタ用の受光素子を取り付ける部分の構造に関する。
【背景技術】
【０００２】
ＣＤ（コンパクトディスク）やＤＶＤ（デジタル多用途ディスク）などの光記録媒体の記録再生を行う際には、光記録媒体に光ビームを照射し、情報の記録や読み取りを可能とする光ピックアップ装置が使用される。図７は、従来の光ピックアップ装置の光学系の構成例を示す概略図である。図７に示すように、光ピックアップ装置１００は、光源２と、ビームスプリッタ３と、全反射ミラー４と、コリメートレンズ５と、対物レンズ６と、第１の受光素子７と、第２の受光素子８と、を備える。以下、これらの各光学部材の詳細について説明する。
【０００３】
光源２には、例えば、レーザダイオードが用いられる。そして、例えば、ＣＤ用には、７９０ｎｍ帯域の波長を有する光ビームを出射できる光源が使用され、ＤＶＤ用には、６５０ｎｍ帯域の波長を有する光ビームを出射できる光源が使用される。光源２から出射された光ビームはビームスプリッタ３に送られる。
【０００４】
ビームスプリッタ３は、光源２から出射された光ビームを透過して光記録媒体９側に導くとともに、光記録媒体９の記録面９ａで反射された反射光を反射して第１の受光素子７へと導く役割を果たす。ビームスプリッタ３を透過した光ビームは、全反射ミラー４へと送られる。
【０００５】
全反射ミラー４は、ビームスプリッタ３から送られてきた光ビームのうち、全反射ミラー４の反射面に入射する全ての光ビームを反射して、その光軸を光記録媒体９の記録面９ａと直交させる役割を果たす。このため、全反射ミラー４は、光源２から出射される光ビームの光軸に対して４５°傾けられた状態で配置されている。全反射ミラー４で反射された光ビームは、コリメータレンズ５へと送られる。
【０００６】
コリメータレンズ５は、全反射ミラー４から送られてきた発散光を平行光へと変換する役割を果たす。ここで平行光とは、光ビームの全ての光路が光軸とほぼ平行である光のことを意味している。コリメータレンズ５を透過した光ビームは、対物レンズ６へと送られる。
【０００７】
対物レンズ６は、コリメータレンズ５からの光ビームを光記録媒体９の記録面９ａ上に集光させる。対物レンズ６の開口数（ＮＡ）は、光ピックアップ装置１００がＣＤ用の場合は、例えばＮＡ＝０．５とされる。また、光ピックアップ装置１００が、ＤＶＤ用の場合には、例えばＮＡ＝０．６５とされる。対物レンズ６は、図示しない対物レンズアクチュエータに搭載されており、フォーカス方向及びトラッキング方向に移動可能で、光記録媒体９の記録再生時には、フォーカス調整及びトラッキング調整がなされる。
【０００８】
対物レンズ６によって光記録媒体９の記録面９ａに集光された光ビームは、記録面９ａで反射され、その反射光は、対物レンズ６、コリメータレンズ５を通過し、全反射ミラー４で反射され、ビームスプリッタ３で更に反射されて、第１の受光素子７に集光される。第１の受光素子７で受光された光情報は電気信号に変換されて、例えば、図示しないＲＦアンプ等に出力される。そして、この電気信号は、記録面９ａに記録されているデータの再生信号として、更には、フォーカス制御やトラッキング制御を行うためのサーボ信号として用いられる。
【０００９】
第２の受光素子８は、光源２から出射されてビームスプリッタ３を透過した発散光のうち、全反射ミラー４で反射されない光ビームの一部を受光して、光源２から出射された光ビームの光量を検出する。検出された信号より、光量が所定の値からずれていると判断される場合には、図示しない制御回路からの命令により、光源２から出射される光ビームの光量が所定の値となるように調整される。この第２の受光素子８については、以後、フロントモニタ用の受光素子８と記載する。
【００１０】
このように構成される光ピックアップ装置１００において、光記録媒体９の記録面９ａに収容される情報を光情報として受光する第１の受光素子７は、光ピックアップ装置１００内に配置される際に、その位置が所定の位置から少しでもずれると、光ピックアップ装置を用いて光記録媒体９に記録される情報の読み取り等を行う際に、品質が低下するといった問題が発生する。このため、第１の受光素子７は、正確に、且つ精度良く位置決めされる必要があり、従来、例えば特許文献１や特許文献２に示されるように、第１の受光素子７をホルダーに取り付けた後に、このホルダーの位置調整を行いながら第１の受光素子７の位置決めを行うのが一般的である。
【００１１】
一方、フロントモニタ用の受光素子８は、第１の受光素子７に比べると、その位置の正確性及び位置決め精度についての要求は厳しくない。このため、フロントモニタ用の受光素子８の取り付けは、第１の受光素子７のようにホルダーに固定された後にその位置調整が行われるということはなく、図８に示すように、光ピックアップ装置１００を構成する部材の所定の部分に、フロントモニタ用の受光素子の固定部１０を設け、その固定部１０に形成した位置決め溝１０ａにフロントモニタ用の受光素子８を直接位置合わせして、位置合わせ完了後に接着固定するという方法が用いられる。
【００１２】
しかしながら、この場合、フロントモニタ用の受光素子８に接続される図示しないフレキシブルプリント基板（以後、ＦＰＣと記載する。）の存在等のために、フロントモニタ用の受光素子８を接着固定するまでの間に、受光素子８に外力が加わって、受光素子８が動いてしまうことが多く、受光素子８の固定作業の作業性が悪いという問題があった。また、受光素子８が動いた場合、受光素子８の表面が何らかの物体と接触して傷が発生するという問題もあった。
【特許文献１】特開２００５−３２３１６号公報
【特許文献１】特開２００４−３４８７７９号公報
【発明の開示】
【発明が解決しようとする課題】
【００１３】
以上の点を鑑みて、本発明は、フロントモニタ用の受光素子を光ピックアップ装置に取り付ける際の作業性を向上でき、且つ、取り付け作業中にフロントモニタ用の受光素子を傷つけることがない構造の光ピックアップ装置を提供することを目的とする。
【課題を解決するための手段】
【００１４】
上記目的を達成するために本発明は、光源と、該光源から出射される光ビームを受光する受光面を有し、前記光ビームの光量を検出するフロントモニタ用の受光素子と、該受光素子の位置決めを可能とする位置決め溝を有し、前記受光素子を位置決めして固定する固定部と、を備える光ピックアップ装置において、前記位置決め溝が形成される壁面には、前記固定部を挟んで対称に且つ先端部を内向きに設けられる偶数個の断面略Ｌ字状の部材から成り、前記壁面から突出して前記受光素子を前記受光面と反対側に位置する面側から一時的に支持する仮固定部が設けられ、前記仮固定部は、前記受光素子の前記受光面と反対側に位置する面のうち、少なくとも中心部近傍又は、前記中心部に対して点対称となる１組以上の領域を覆わないように設けられることを特徴としている。
【００１５】
また、上記目的を達成するために本発明は、光源と、該光源から出射される光ビームを受光する受光面を有し、前記光ビームの光量を検出するフロントモニタ用の受光素子と、該受光素子の位置決めを可能とする位置決め溝を有し、前記受光素子を位置決めして固定する固定部と、を備える光ピックアップ装置において、前記受光素子が前記固定部に接着固定されるまでの間、前記受光素子を一時的に支持する仮固定部を設けたことを特徴としている。
【００１６】
また、本発明は、上記構成の光ピックアップ装置において、前記仮固定部は、前記位置決め溝が形成される壁面から突出し、前記受光素子を前記受光面と反対側に位置する面側から支持することを特徴としている。
【００１７】
また、本発明は、上記構成の光ピックアップ装置において、前記仮固定部は、前記固定部を挟んで対称に且つ先端部を内向きに設けられる偶数個の断面略Ｌ字状の部材から成ることを特徴としている。
【００１８】
また、本発明は、上記構成の光ピックアップ装置において、前記仮固定部は、前記受光素子の前記受光面と反対側に位置する面のうち、少なくとも中心部近傍又は、前記中心部に対して点対称となる１組以上の領域を覆わないように設けられることを特徴としている。
【発明の効果】
【００１９】
本発明の第１の構成によれば、フロントモニタ用の受光素子を光ピックアップ装置に取り付ける際に、仮固定部が受光素子を動かないように一時的に支持するために、受光素子を接着固定する際の作業性が向上する。また、仮固定部の存在により、受光素子を接着固定する作業中に受光素子が動いて傷つくという可能性を低減でき、受光素子の表面に傷が発生するのを解消できる。更に、仮固定部の設け方に工夫をして、受光素子を接着固定する際に用いる治具が受光素子をバランス良く押さえることができるように構成しているために、受光素子の接着固定作業の作業性を更に向上できる。
【００２０】
また、本発明の第２の構成によれば、フロントモニタ用の受光素子を光ピックアップ装置に取り付ける際に、受光素子を一時的に支持する仮固定部を設けているために、受光素子を接着固定する際の作業性が向上する。また、仮固定部の存在により、受光素子を接着固定する作業中に受光素子が動く可能性が低減され、受光素子の表面に傷が発生するのを解消できる。
【００２１】
また、本発明の第３の構成によれば、上記第２の構成の光ピックアップ装置において、仮固定部を形成し易い構成となっている。
【００２２】
また、本発明の第４の構成によれば、上記第３の構成の光ピックアップ装置において、受光素子から引き出される配線を引き出し易い構成とできる。
【００２３】
また、本発明の第５の構成によれば、上記第２から第４のいずれかの構成の光ピックアップ装置において、受光素子を接着固定する際に用いる治具が受光素子をバランス良く押さることができるように構成しているために、受光素子の接着固定作業の作業性を更に向上できる。
【発明を実施するための最良の形態】
【００２４】
以下に、本発明の実施形態について、図面を参照しながら説明する。なお、従来例の光ピックアップ装置１００（図７参照）と重複する部分については同一の符号を付して説明する。また、ここに示す実施形態は本発明の実施形態の一例であって、本実施形態の構成に限定されるものではない。
【００２５】
図１は、本実施形態の光ピックアップ装置の構成を示す概略図であって、図１（ａ）は本実施形態の光ピックアップ装置を上から見た場合の概略平面図で、図１（ｂ）は図１（ａ）のＡ−Ａ断面図である。なお、図１（ａ）において破線で示した部分は、実際には上部から見えないものを意味している。１は、光ピックアップ装置であって、ＣＤ、ＤＶＤ等の光記録媒体９に対して、光ビームを照射して反射光を受光することにより光記録媒体９の記録面９ａに記録されている情報を読み取ったり、光記録媒体９に光ビームを照射して記録面９ａに情報を書き込んだりすることを可能とする装置である。
【００２６】
図１に示すように、光ピックアップ装置１は、光源２と、ビームスプリッタ３と、全反射ミラー４と、コリメータレンズ５と、対物レンズ６と、第１の受光素子７と、第２の受光素子８（フロントモニタ用の受光素子）と、を備え、これらの光学部材は、ベース部材１２に搭載されている。なお、光学部材２〜８については、図７に示した従来の光ピックアップ装置１００に備えられる光学部材と同一であるために、ここでは、その詳細な説明は特に必要がない限り省略する。
【００２７】
ベース部材１２は、図示しないキャリッジによって、光記録媒体９の半径方向に移動可能となっており、これにより、光ピックアップ装置１が、光記録媒体９に同心円状又は螺旋状に形成されるトラックに追従して、情報を記録したり再生したりすることを可能とする。また、ベース部材１２の下部側には、ＦＰＣ（フレキシブルプリント基板）１１が配置されており、このＦＰＣ１１は光源２と、第１の受光素子７と、フロントモニタ用の受光素子８と、に接続された状態となっており、これにより、光ピックアップ装置１の動作が制御されている。なお、これらの接続関係は、図１（ａ）において白抜きの矢印で示されている。
【００２８】
フロントモニタ用の受光素子８は、光ピックアップ装置１のベース部材１２から鉛直方向に直立する壁面１４に形成される固定部１３に保持される。図２は、光ピックアップ装置１における固定部１３周辺を拡大して示した概略斜視図である。光ピックアップ装置１が備える固定部１３においても、従来例の固定部１０（図８参照）と同様に、フロントモニタ用の受光素子８を位置決めして装置内に固定できるように、位置決め溝１３ａが設けられている。
【００２９】
光ピックアップ装置１においては、従来の光ピックアップ装置１００の場合と異なり、固定部１３が形成される壁面１４に仮固定部１５が設けられている。この仮固定部１５は、壁面１４の固定部１３を基準に左右対称な位置から、それぞれ１つずつ突出する断面略Ｌ字状の部材２０、２１によって形成される。
【００３０】
断面Ｌ字状の部材２０、２１は、いずれも、壁面１４に対して略垂直に突出する部分２０ａ、２１ａと、この部分２０ａ、２１ａに対して略垂直（すなわち壁面１４とは水平）で、固定部１３側に延びる部分２０ｂ、２１ｂという構成で配置される。また、この断面Ｌ字状の部材２０、２１のＸ、Ｙ、Ｚ方向（図２中に示す）のサイズはいずれも同一である。すなわち、断面Ｌ字状の部材２０、２１は、固定部１３を挟んで対称に設けられている。なお、図２における破線は、説明の便宜上、設けた線であり、この部分が現実に別々の部分となっている訳ではない。
【００３１】
この仮固定部１５により、固定部１３に配置されるフロントモニタ用の受光素子８は、固定部１３と仮固定部１５に挟まれるような形となり、仮固定部１５は、壁面１４と対向する面２０ｃ、２１ｃで受光素子８を支持することとなる。なお、仮固定部１５は、受光素子８を固定部１３に配置する場合に障害となることなく、且つ面２０ｃ、２１ｃが受光素子８と接触した状態で受光素子８を支持できるように構成されている。
【００３２】
また、仮固定部１５を形成する部材２０、２１は、対称配置される構成であるために、仮固定部１５が受光素子８を支持する際に受光素子８に及ぼす力は均等となる。このように、仮固定部１５が受光素子８に及ぼす力が均等となるようにすることにより、受光素子８が仮固定中に位置決めされた位置からずれる可能性が低くなり、更に受光素子８の破損の可能性も低減できるので好ましい。
【００３３】
本実施形態においては、固定部１０及び仮固定部１５は、壁面１４を形成する部材と一体成型している。ただし、必ずしも一体成型する構成に限定される趣旨ではなく、例えば、仮固定部１５については、断面Ｌ字状の部材２０、２１を後から貼り付けて形成する構成等としても構わない。
【００３４】
以下に、本実施形態の仮固定部１５の作用を更に明確にするために、この仮固定部１５を用いてフロントモニタ用の受光素子８を仮固定し、その後固定部１３に固定する作業について説明するが、その前に、フロントモニタ用の受光素子８の構成の詳細を説明する。図３は、本実施形態におけるフロントモニタ用の受光素子８の構成を示す概略図で、図３（ａ）は受光面１６ａ側から見た平面図で、図３（ｂ）は図３（ａ）に示す矢印Ｂ側から見た側面図である。
【００３５】
図３に示すように、フロントモニタ用の受光素子８は、大きくはセンサ部１６と、補強板１７と、配線基板１９と、から成る。センサ部１６の受光面１６ａ側には、フォトディテクタ１６ｂが設けられ、このフォトディテクタ１６ｂに、光源２（図１参照）から出射される光ビームの一部が受光される。フォトディテクタ１６ｂは、センサ部１６に内蔵された図示しない基板に配置された状態となっており、フォトディテクタ１６ｂで受光した光信号はここで電気信号に変換され、光源２から出射される光ビームの光量についての検出が行われる。
【００３６】
センサ部１６には、複数のリード１８が設けられており、このリード１８は、基板で変換された電気信号を配線基板１９に導く役割を果たすとともに、このセンサ部１６に必要な電力についてフォトディテクタ１６ｂを有する基板に伝達する役割も果たす。補強板１７は、センサ部１６のリード１８が折れないようにしたり、リード１８と配線基板１９のハンダ付けを行い易くしたりするために設けられる。配線基板１９は折り曲げ易い部材で構成される。なお、本実施形態においては、補強板１７を設けているが、これに限られる趣旨ではなく、補強板１７を用いない構成とすることも可能である。
【００３７】
次に、このようなに構成されるフロントモニタ用の受光素子８を固定部１３に接着固定する際の仮固定部１５の作用について、図４を用いて説明する。図４は、フロントモニタ用の受光素子８が、仮固定部１５によって仮固定されている場合の固定部１３周辺の図で、図４（ａ）は上から見た図、図４（ｂ）は受光素子８の受光面１６ａと反対側に位置する面１７ａ側から見た図である。
【００３８】
フロントモニタ用の受光素子８を固定部１３に接着固定する場合、まず、受光素子８を固定部１３に設けられる位置決め溝１３ａ（図２参照）に正確に合わせた状態とし、次に、正確に位置合わせを行った受光素子８を受光面１６ａと反対側に位置する面１７ａ側から治具で押圧しながら固定し、最終的に、例えば、紫外線硬化性の接着剤等を用いて受光素子８を固定部１３の正確な位置に接着固定するという手順が採られる。
【００３９】
従来は位置決めしてから治具で固定するまでの間に、外部から力が加わって、受光素子８が動いてしまうことが多く、接着固定に時間がかかり、さらに受光素子８のフォトディテクタ１６ｂ（図３参照）等に傷が発生していた。ところが、本実施形態においては、図４に示すように、受光素子８が固定部１３の位置決め溝１３ａに位置決めされた後は、仮固定部１５を形成する断面略Ｌ字状の部材２０、２１が、受光素子８を構成する補強板１７を面１７ａ側から支持する構成となる。このため、受光素子８を一時的に固定することが可能となり、従来のように、位置決めしてから治具で受光素子８を固定するまでの間に受光素子８が動いたり、受光素子８に傷が発生したりするのを防止できる。
【００４０】
なお、治具で受光素子８を押圧する場合、受光素子８を位置決めした状態から動かさないように、面１７ａの中心部１７ｂ近傍１箇所から押圧するか、中心部１７ｂに対して点対称となる領域（例えば、図４（ｂ）に示す位置Ｃ）のうち少なくとも１組の領域から押圧するか、その両者を押圧するのが好ましい。このため、仮固定部１５を形成する際には、治具で適切な位置を押圧できるように、面１７ａのうち、少なくとも中心部１７ｂ近傍又は、中心部１７ｂに対して点対称となる１組以上の領域は覆わないように構成するのが好ましい。
【００４１】
また、本実施形態のように仮固定部１５を形成した場合、図４（ｂ）に示すように、配線基板１９を、仮固定部１５を形成する断面略Ｌ字状の部材２０、２１が設けられない部分から引き出すことができるので、配線基板１９を余分に折り曲げたりする必要がなく、受光素子８に余計な外力が加わるのを防止できる。
【００４２】
以上に示した本実施形態においては、仮固定部１５を断面略Ｌ字状の２つの部材２０、２１で構成しているが、この構成に限定される趣旨ではなく、本発明の目的を逸脱しない範囲で種々の変更が可能である。すなわち、例えば、本実施形態では、固定部１３の左右に断面略Ｌ字状の部材を設ける構成としているが、固定部１３の上下に断面略Ｌ字状の部材を配置する構成としても構わない。また、仮固定部１５を形成する断面Ｌ字状の部材の数は図５に示すように４つ等でも構わない。ただし、固定部１３に対して対称に偶数個配置するのが好ましい。
【００４３】
また、仮固定部１５を形成するのは、断面略Ｌ字状の部材に限らず、図６に示すように断面略コの字状の部材等であっても構わない。ただし、この場合、例えば、図６の点線で示した部分等を開口して、フロントモニタ用の受光素子８を固定する際に治具で受光素子８を押さえられるようにしておくのが好ましい。その他、受光素子８を固定部１３に対して位置決めした時点で、仮固定部１５の一部を回動して受光素子８を受光面１６ａと反対側に位置する面１７ａ（いずれも図４参照）側から押さえられるような構成の仮固定部等としても構わない。
【産業上の利用可能性】
【００４４】
本発明は、光源と、光源から出射される光ビームを受光する受光面を有し、光ビームの光量を検出するフロントモニタ用の受光素子と、フロントモニタ用の受光素子の位置決めを可能とする位置決め溝を有し、フロントモニタ用の受光素子を位置決めして固定する固定部と、を備える光ピックアップ装置において、フロントモニタ用の受光素子が固定部に接着固定されるまでの間、受光素子を一時的に支持する仮固定部を設けることとする。
【００４５】
このため、受光素子を接着固定する際の作業性が向上し、また、受光素子を接着固定する作業中に受光素子が動く可能性が低減され、受光素子の表面に傷が発生するのを解消できる。
【００４６】
また、仮固定部を位置決め溝が形成される壁面から突出し、フロントモニタ用の受光素子を受光面と反対側に位置する面側から支持するように設けることにより、容易に仮固定部を形成することが可能となる。
【００４７】
また、仮固定部を、固定部を挟んで対称に且つ先端部を内向きに設けられる偶数個の断面略Ｌ字状の部材から形成することで、フロントモニタ用の受光素子を構成する配線基板の引き出しが容易となる。
【００４８】
また、仮固定部を、フロントモニタ用の受光素子の受光面と反対側に位置する面のうち、少なくとも中心部近傍又は、中心部に対して点対称となる１組以上の領域を覆わないように設けることで、受光素子を接着固定する際に用いる治具が受光素子をバランス良く押さることができるように構成しているために、受光素子の接着固定作業の作業性を更に向上できる。
【図面の簡単な説明】
【００４９】
【図１】は、本実施形態の光ピックアップ装置の構成を示す概略図である。
【図２】は、本実施形態の光ピックアップ装置における固定部周辺を拡大して示した概略斜視図である。
【図３】は、本実施形態の光ピックアップ装置におけるフロントモニタ用の受光素子の構成を示す概略図である。
【図４】は、本実施形態における光ピックアップ装置のフロントモニタ用の受光素子が、仮固定部によって仮固定されている場合の固定部周辺の図である。
【図５】は、本発明の仮固定部の別の実施形態を示す概略斜視図である。
【図６】は、本発明の仮固定部の別の実施形態を示す概略斜視図である。
【図７】は、従来の光ピックアップ装置の光学系の構成を示す概略図である。
【図８】は、従来のフロントモニタ用の受光素子を固定する固定部周辺の概略斜視図である。
【符号の説明】
【００５０】
１                光ピックアップ装置
２                光源
８                フロントモニタ用の受光素子
１０、１３        固定部
１０ａ、１３ａ    位置決め溝
１４              壁面
１５              仮固定部
１６ａ            受光面
１７ａ            受光素子の受光面と反対側に位置する面
１７ｂ            受光素子の受光面と反対側に位置する面の中心部
２０、２１        断面略Ｌ字状の部材
【図１】
2007184037.tif 000003
【図２】
2007184037.tif 000004
【図３】
2007184037.tif 000005
【図４】
2007184037.tif 000006
【図５】
2007184037.tif 000007
【図６】
2007184037.tif 000008
【図７】
2007184037.tif 000009
【図８】
2007184037.tif 000010